(57)【特許請求の範囲】
【請求項１】
給湯側ソケット及び給水側ソケットを介して壁から前方に張り出すように支持された水栓本体を覆い、さらにその上部後端から壁側へ延びるように片持ち支持されたカバーを有するとともに、カバーの両側にはカラーが取付けられた湯水混合水栓であって、
前記カラーは、水栓本体の両側に位置する本体側カラーと、該本体側カラーより壁側に位置し、カバーの裏面側に差し込まれる壁側カラーとに分割されるとともに、壁側カラーは着脱可能に構成されていることを特徴とする湯水混合水栓。
【請求項２】
前記壁側カラーとカバーの裏面にはスライド係合部材が設けられ、壁側カラーがカバーに対しスライドして取付けられるように構成されていることを特徴とする請求項１に記載の湯水混合水栓。
【請求項３】
前記カバーの後端縁は内側へ折り返され、その折り返し部の内側に壁側カラーの端部が支持されるように構成されていることを特徴とする請求項１又は請求項２に記載の湯水混合水栓。
【請求項４】
前記壁側カラーはカバーの折り返し部に対して係合爪の係合により抜け落ちが防止されるように構成されていることを特徴とする請求項３に記載の湯水混合水栓。
【請求項５】
前記壁側カラーには、該壁側カラーがカバーに取付けられたときカバーの折り返し部の端面に係止される係止片が突設されていることを特徴とする請求項３又は請求項４に記載の湯水混合水栓。
【請求項６】
前記カバー又は壁側カラーは補強リブにより補強されていることを特徴とする請求項１から請求項５のいずれか１項に記載の湯水混合水栓。
【請求項７】
前記補強リブは壁側カラーの裏面に壁側ほど幅狭になるように傾斜状に形成され、壁側カラーの左右方向に所定間隔をおいて複数設けられていることを特徴とする請求項６に記載の湯水混合水栓。
【請求項８】
請求項１に記載の湯水混合水栓の取付方法であって、
給湯側ソケットの一次側螺合部及び給水側ソケットの一次側螺合部を壁に設けられた給湯側配管及び給水側配管にそれぞれ螺合して固定した後、カバーから壁側カラーを外した状態で水栓本体の給湯側ねじ部及び給水側ねじ部を給湯側ソケットの二次側螺合部及び給水側ソケットの二次側螺合部に螺合して締付け、次いで壁側カラーをカバーに取付けることを特徴とする湯水混合水栓の取付方法。
【発明の詳細な説明】
【技術分野】
【０００１】
本発明は、浴室などの壁面に固定され、水栓本体がカバーで覆われている湯水混合水栓及びその取付方法に関する。
【背景技術】
【０００２】
一般に壁に固定される湯水混合水栓では、水栓本体の後端縁と壁との隙間をなくすように水栓本体から壁側へ意匠用カバーが延設されるとともに、その意匠用カバーの両側には遮蔽板が取付けられている。この種の湯水混合水栓に関して、本願出願人は既に提案を行った（特許文献１を参照）。すなわち、水栓ハンドルの取付部位を覆う本体カバーに対して固定されるカラーの取付構造であって、カラー又は本体カバーのいずれか一方に係止爪が設けられ、他方に係止爪が係止される係止孔が設けられて構成されている。このカラーの取付構造によれば、本体カバーへのカラーの取付けを堅固にし、振動音などを抑制することができる。
【先行技術文献】
【特許文献】
【０００３】
【特許文献１】特開２００８−２３１８７４号公報
【発明の概要】
【発明が解決しようとする課題】
【０００４】
ところで、水栓本体を壁に固定する場合には、壁内の給湯配管に接続されるソケットと壁内の給水配管に接続されるソケットに水栓本体の連結部をモンキーレンチ等の工具を用いて本体カバーの側方からソケットに締付けて連結しなければならない。しかしながら、特許文献１に記載されているカバーの取付構造では、カラーが本体カバーの側部全体を覆うように一体形成され、その前部の挿通孔には温度調節ハンドル又は吐水形態の切換ハンドルが挿通されている。
【０００５】
このため、水栓本体をソケットに連結する場合には、温度調節ハンドル又は吐水形態の切換ハンドルを取り外した後、カラーの係止爪と本体カバーの係止孔との係止状態を解除し、カラーを取り除く必要があった。さらに、水栓本体をソケットに連結した後には、カラーを本体カバーに取着し、次いで温度調節ハンドル又は吐水形態の切換ハンドルをカラーの挿通孔に挿通して水栓本体に組付けなければならなかった。そのような作業は非常に煩雑で、作業時間を要するものであった。
【０００６】
そこで本発明の目的とするところは、簡易な構成でソケットに対する水栓本体の取付作業を容易かつ迅速に行うことができる湯水混合水栓及びその取付方法を提供することにある。
【課題を解決するための手段】
【０００７】
上記の目的を達成するために、請求項１に記載の発明の湯水混合水栓は、給湯側ソケット及び給水側ソケットを介して壁から前方に張り出すように支持された水栓本体を覆い、さらにその上部後端から壁側へ延びるように片持ち支持されたカバーを有するとともに、カバーの両側にはカラーが取付けられたものである。そして、前記カラーは、水栓本体の両側に位置する本体側カラーと、該本体側カラーより壁側に位置し、カバーの裏面側に差し込まれる壁側カラーとに分割されるとともに、壁側カラーは着脱可能に構成されていることを特徴とする。
【０００８】
請求項２に記載の発明の湯水混合水栓は、請求項１に係る発明において、前記壁側カラーとカバーの裏面にはスライド係合部材が設けられ、壁側カラーがカバーに対しスライドして取付けられるように構成されていることを特徴とする。
【０００９】
請求項３に記載の発明の湯水混合水栓は、請求項１又は請求項２に係る発明において、前記カバーの後端縁は内側へ折り返され、その折り返し部の内側に壁側カラーの端部が支持されるように構成されていることを特徴とする。
【００１０】
請求項４に記載の発明の湯水混合水栓は、請求項３に係る発明において、前記壁側カラーはカバーの折り返し部に対して係合爪の係合により抜け落ちが防止されるように構成されていることを特徴とする。
【００１１】
請求項５に記載の発明の湯水混合水栓は、請求項３又は請求項４に係る発明において、前記壁側カラーには、該壁側カラーがカバーに取付けられたときカバーの折り返し部の端面に係止される係止片が突設されていることを特徴とする。
【００１２】
請求項６に記載の発明の湯水混合水栓は、請求項１から請求項５のいずれか１項に係る発明において、前記カバー又は壁側カラーは補強リブにより補強されていることを特徴とする。
【００１３】
請求項７に記載の発明の湯水混合水栓は、請求項６に係る発明において、前記補強リブは壁側カラーの裏面に壁側ほど幅狭になるように傾斜状に形成され、壁側カラーの左右方向に所定間隔をおいて複数設けられていることを特徴とする。
【００１４】
請求項８に記載の発明の湯水混合水栓の取付方法は、請求項１に記載の湯水混合水栓の取付方法であって、給湯側ソケットの一次側螺合部及び給水側ソケットの一次側螺合部を壁に設けられた給湯側配管及び給水側配管にそれぞれ螺合して固定した後、カバーから壁側カラーを外した状態で水栓本体の給湯側ねじ部及び給水側ねじ部を給湯側ソケットの二次側螺合部及び給水側ソケットの二次側螺合部に螺合して締付け、次いで壁側カラーをカバーに取付けることを特徴とする。
【発明の効果】
【００１５】
本発明によれば、次のような効果を発揮することができる。
本発明の湯水混合水栓は、給湯側ソケット及び給水側ソケットを介して壁から前方に張り出すように支持された水栓本体を覆い、さらにその上部後端から壁側へ延びるように片持ち支持されたカバーを有するとともに、カバーの両側にはカラーが取付けられている。そして、カラーが水栓本体の両側に位置する本体側カラーと、該本体側カラーより壁側に位置し、カバーの裏面側に差し込まれる壁側カラーとに分割されるとともに、壁側カラーは着脱可能に構成されている。このため、水栓本体を給湯側ソケット及び給水側ソケットに取付ける場合には、壁側カラーを取外し、そこから工具を差し込んで水栓本体を給湯側ソケット及び給水側ソケットに連結する作業を行うことができる。
【００１６】
従って、本発明の湯水混合水栓によれば、簡易な構成でソケットに対する水栓本体の取付作業を容易かつ迅速に行うことができる。
【図面の簡単な説明】
【００１７】
【図１】（ａ）は実施形態における湯水混合水栓を裏面側から見た状態を示す斜視図、（ｂ）は壁側カラーを組付ける前の湯水混合水栓を表面側から見た状態を示す斜視図。
【図２】湯水混合水栓を壁に取付けた状態を示す斜視図。
【図３】（ａ）は湯水混合水栓を壁に取付けた状態を示す正面図、（ｂ）は湯水混合水栓を壁に取付けた状態を示す側面図。
【図４】（ａ）はカバーを示す斜視図、（ｂ）はカバーを示す正面図。
【図５】（ａ）は壁側カラーを裏面側から見た状態を示す斜視図、（ｂ）は壁側カラーを表面側から見た状態を示す斜視図。
【図６】（ａ）は壁側カラーの係合爪がカバーの折り返し部に係合した状態を示す断面図、（ｂ）は壁側カラーの係止片がカバーの折り返し部に係合した状態を示す断面図。
【図７】湯水混合水栓の部品を分解して示す斜視図。
【図８】（ａ）は給湯側ソケット及び給水側ソケットを壁に取付けた状態を示す平断面図、（ｂ）は給湯側ソケット及び給水側ソケットを壁に取付けた状態を示す正面図。
【図９】（ａ）はソケットカバーから別のソケットカバーを取り外す状態を示す分解斜視図、（ｂ）は別のソケットカバーが取り外されたソケットカバーをソケットに組付ける状態を示す分解斜視図。
【図１０】湯水混合水栓を給湯側ソケット及び給水側ソケットに取付ける状態を示す平断面図。
【図１１】壁側カラーを取り外した状態で、そこからモンキーレンチを差し込んでソケットに水栓本体の連結部を連結する状態を示す斜視図。
【発明を実施するための形態】
【００１８】
以下、本発明の湯水混合水栓を具体化した実施形態について図１〜図１１に基づき詳細に説明する。
図１〜図３及び図７、図８に示すように、本実施形態の湯水混合水栓１０では、浴室の壁１１に埋設された給湯配管１２及び給水配管１３にそれぞれ給湯側ソケット１４及び給水側ソケット１５が前方に張り出すように接続されている。それら給湯側ソケット１４及び給水側ソケット１５には、水栓本体１６の給湯側ねじ部１７及び給水側ねじ部１８が袋ナット１９により締付固定されている。水栓本体１６にはカラン用吐水口２０及びシャワー用吐水口２１が開口されている。カラン用吐水口２０には、水切り２２、パッキン２３、ストレーナ２４、キャップ２５等が組付けられている。シャワー用吐水口２１にはシャワーエルボ２６を介してシャワーホース２７が接続され、該シャワーホース２７の先端部にはシャワーヘッド２８が取付けられている。シャワーヘッド２８は壁１１に固定されたシャワーハンガー２９に支持されるようになっている。
【００１９】
水栓本体１６には該水栓本体１６を包むようにカバー３０が固定され、そのカバー３０は水栓本体１６の上部後端から壁１１側へ延びるように片持ち支持されている。カバー３０の両側にはＡＢＳ樹脂等の合成樹脂により形成されたカラー３１が装着され、該カラー３１は水栓本体１６の両側に位置する本体側カラー３１ａと、該本体側カラー３１ａより壁１１側に位置する壁側カラー３１ｂとに２分割されている。本体側カラー３１ａには円筒状の貫通孔３２が設けられ、温度調節ハンドル３３が貫通孔３２を通って突出した水栓本体１６を構成するサーモスタットカートリッジ３４に固定ナット３５によって連結されている。また、吐水切換ハンドル３６は本体側カラー３１ａの貫通孔３２を通って突出した水栓本体１６を構成する切換弁ユニット３７に固定ナット３８によって連結されている。なお、温度調節ハンドル３３及び吐水切換ハンドル３６にはキャップ３９が被せられている。
【００２０】
吐水切換ハンドル３６は壁１１に向かって水栓本体１６の右側に設けられ、温度調節ハンドル３３は水栓本体１６の左側に設けられている。吐水切換ハンドル３６は、手前側へ回動させるとカラン用吐水口２０から吐水され、奥側へ回動させるとシャワー用吐水口２１から吐水されるようになっている。温度調節ハンドル３３は、手前側へ回動させると４０℃よりも低い温度の湯が吐水され、奥側へ回動させると４０℃よりも高い温度の湯が吐水されるようになっている。
【００２１】
図５（ａ），（ｂ）に示すように、壁側カラー３１ｂは基板４０の端面に側板４１が接合されて構成されている。基板４０の一側部にはスライド係合部材としてのスライド用レール４３が突設され、水栓本体１６とカバー３０の境界部に設けられ左右に延びるスライド係合部材としてのスライド枠４４内をスライドすることにより壁側カラー３１ｂがカバー３０に対して着脱可能になっている（図１（ａ）を参照）。基板４０と側板４１の接合部の壁１１側端部には四角枠状の接続枠４５が設けられ、その内側には側板４１に片持ち支持された支持片４６が突出形成され、その先端部には係合爪４７が設けられている。また、接続枠４５の水栓本体１６側外面には接続枠４５より突出する係止片４８が設けられている。
【００２２】
図４（ａ），（ｂ）に示すように、前記カバー３０の後端縁は内側へ折り返され、その折り返し部４９の両端部４９ａは中間部よりも折り返し量が長くなるように設定されている。かかる折り返し部４９の両端部４９ａの内側に前記壁側カラー３１ｂの接続枠４５が挿入されて支持されるように構成されている。
【００２３】
壁側カラー３１ｂの接続枠４５がカバー３０の折り返し部４９の両端部４９ａの内側に挿入されたとき、図６（ａ）に示すように係合爪４７が折り返し部４９の両端部４９ａ内側面４９ｂに係合され、壁側カラー３１ｂが抜け止めされるようになっている。壁側カラー３１ｂの係合爪４７と折り返し部４９の内側面４９ｂとの係合は、係合爪４７を壁側カラー３１ｂの裏面側から表面側へ押圧することによって解除することができる。従って、カバー３０から壁側カラー３１ｂを簡単に取り外すことができる。さらに、図６（ｂ）に示すように、壁側カラー３１ｂの係止片４８が折り返し部４９の両端部４９ａ内端面４９ｃに係止され、壁側カラー３１ｂがカバー３０に組付けられたときのがたつきが抑えられるようになっている。
【００２４】
図５（ａ），（ｂ）に示すように、壁側カラー３１ｂの裏面には、前後方向に延びる３枚の補強リブ５０が左右方向に所定間隔をおいて突設され、先端部の補強リブ５０には係止板５１が外方へ直角に曲げ形成されている。補強リブ５０は壁１１側ほど幅狭になるように傾斜状に形成され、壁側カラー３１ｂを補強するとともに、壁側カラー３１ｂがカバー３０に組付けられたとき片持ち支持されたカバー３０を補強するようになっている。図１（ａ）に示すように、壁側カラー３１ｂにおける基板４０の両端部と側板４１との間には各一対の三角板状をなす第２補強リブ５０ａが接合され、基板４０に対する側板４１の接合強度の向上が図られるとともに、壁側カラー３１ｂの補強も図られている。
【００２５】
図１（ａ）に示すように、カバー３０裏面に設けられているスライド枠４４の内端部の隣接位置には受け板５２が突設され、壁側カラー３１ｂがカバー３０に組付けられたとき壁側カラー３１ｂの係止板５１が受け板５２上に支持されるように構成されている。そして、カバー３０に対する壁側カラー３１ｂの組付けを安定化させるようになっている。
【００２６】
次に、湯水混合水栓１０の取付構造について説明する。なお、給湯側ソケット１４と給水側ソケット１５はそれらの構造が同一であるため、給湯側ソケット１４について主に説明する。
【００２７】
図７及び図８に示すように、給湯側ソケット１４はクランク状をなし、その一端部の一次側螺合部５３は送り座５４を介して壁１１内の給湯配管１２に接続されるとともに、止水弁５５及びストレーナ５６が組付けられる。給湯側ソケット１４は斜めに配置され、給湯側ソケット１４と給水側ソケット１５は正面から見てハの字になるように配置される。図９（ａ），（ｂ）に示すように、給湯側ソケット１４にはその全体に第１ソケットカバー５７が被せられ、第１ソケットカバー５７に設けられた円筒状の開口部５８に第２ソケットカバー５９が取着されるようになっている。
【００２８】
給湯側ソケット１４の他端部の二次側螺合部６０には袋ナット１９が連結され、パッキン６１及び逆止弁６２を介して水栓本体１６の給湯側ねじ部１７が袋ナット１９に締付けられることによって、給湯側ソケット１４の二次側螺合部６０に螺合されるように構成されている。
【００２９】
次に、本実施形態の湯水混合水栓１０の取付方法を含む作用について説明する。
さて、湯水混合水栓１０を浴室の壁１１に取付ける場合には、まず図８（ａ），（ｂ）に示すように、給湯側ソケット１４の一次側螺合部５３及び給水側ソケット１５の一次側螺合部５３を壁１１内の給湯配管１２及び給水配管１３にそれぞれ送り座５４を介して螺合して固定する。次いで、図９（ａ）に示すように、第１ソケットカバー５７から第２ソケットカバー５９を取り外し、図９（ｂ）に示すように、第１ソケットカバー５７を給湯側ソケット１４に取付ける。続いて、図１０に示すように、水栓本体１６のカバー３０からその両側後部の壁側カラー３１ｂを取り外した後、湯水混合水栓１０を給湯側ソケット１４及び給水側ソケット１５に近づける。
【００３０】
その後、図１１に示すように、水栓本体１６の給水側ねじ部１８を給水側ソケット１５の二次側螺合部６０に対し向かい合わせにして、モンキーレンチ６３を用いて袋ナット１９を締付ける。このとき、カバー３０の両側部に装着されるカラー３１が本体側カラー３１ａと壁側カラー３１ｂに２分割され、壁側カラー３１ｂが着脱可能に構成されている。そのため、モンキーレンチ６３で袋ナット１９を締付けるときには、壁側カラー３１ｂを取外し、そこに形成された空間からモンキーレンチ６３を差し込んで大きく回動させながら袋ナット１９を速やかに締付けることができる。
【００３１】
水栓本体１６の給湯側ねじ部１７も給水側ねじ部１８と同様に操作して給湯側ソケット１４の二次側螺合部６０に締付けることができる。最後に、図１（ｂ）に示すように、壁側カラー３１ｂをカバー３０の両側に組付ける。このとき、壁側カラー３１ｂにはスライド用レール４３が設けられ、そのスライド用レール４３をカバー３０のスライド枠４４内に差し込むようにすると同時に、壁側カラー３１ｂの接続枠４５をカバー３０の折り返し部４９両端部４９ａの内側に挿入するようにして組付けることにより、壁側カラー３１ｂをカバー３０に円滑に組付けることができる。
【００３２】
壁側カラー３１ｂをカバー３０に組付けた後には、図６（ａ）に示すように壁側カラー３１ｂの係合爪４７がカバー３０の折り返し部４９両端部４９ａの内側面４９ｂに係合されるため、壁側カラー３１ｂの抜け出しが防止される。さらに、図６（ｂ）に示すように、壁側カラー３１ｂの係止片４８がカバー３０の折り返し部４９の端部４９ａ内端面４９ｃに係止されるため、カバー３０に対して壁側カラー３１ｂが隙間なく組付けられる。このようにして、湯水混合水栓１０が給湯側ソケット１４及び給水側ソケット１５を介して給湯配管１２及び給水配管１３に取付けられる。
【００３３】
湯水混合水栓１０の使用時には、水栓本体１６を覆うカバー３０のうち片持ち支持された壁側の部分にシャンプー等が載せられて荷重が加えられたり、不意に押さえ付けられて応力が作用したりする場合がある。しかしながら、カバー３０のうち片持ち支持された部分の裏面には両側から壁側カラー３１ｂが差し込まれて組付けられ、その壁側カラー３１ｂには複数の補強リブ５０が突設されている。このため、片持ち支持された部分のカバー３０は十分な強度を有している。従って、カバー３０に上記のような荷重や応力が作用しても、カバー３０の浮き、沈み、撓みなどの変形が抑えられる。
【００３４】
以上の実施形態により発揮される効果について以下にまとめて記載する。
(1)  実施形態の湯水混合水栓１０においては、水栓本体１６を覆いその上部後端から壁側へ延びるように片持ち支持されたカバー３０の両側にカラー３１が装着され、該カラー３１が本体側カラー３１ａと壁側カラー３１ｂに２分割され、壁側カラー３１ｂは着脱可能に構成されている。このため、水栓本体１６を給湯側ソケット１４及び給水側ソケット１５に組付ける場合には、壁側カラー３１ｂを取外し、そこからモンキーレンチ６３を差し込んで袋ナット１９を締付けることにより、水栓本体１６を給湯側ソケット１４及び給水側ソケット１５に速やかに連結することができる。
【００３５】
従って、湯水混合水栓１０によれば、簡易な構成でソケットに対する水栓本体１６の取付作業を容易かつ迅速に行うことができる。
(2)  前記壁側カラー３１ｂとカバー３０の裏面にはスライド係合部材としてスライド用レール４３とスライド枠４４が設けられ、壁側カラー３１ｂがカバー３０に対しスライドして取付けられるように構成されている。このため、カバー３０に対する壁側カラー３１ｂの組付けを容易かつ円滑に行うことができる。
【００３６】
(3)  前記カバー３０の後端縁は内側へ折り返され、その折り返し部４９の両端部４９ａ内側に壁側カラー３１ｂ外端部の接続枠４５が支持されるように構成されている。このため、壁側カラー３１ｂをカバー３０の裏面に安定した状態で組付けることができる。
【００３７】
(4)  壁側カラー３１ｂはカバー３０の折り返し部４９両端部４９ａの内側面４９ｂに対してその係合爪４７が係合されるように構成されている。そのため、壁側カラー３１ｂがカバー３０の裏面に取付けられた後には、カバー３０から抜け落ちることを防止することができる。
【００３８】
(5)  壁側カラー３１ｂには、該壁側カラー３１ｂがカバー３０に取付けられたときカバー３０の折り返し部４９両端部４９ａの内端面４９ｃに係止される係止片４８が突設されている。このため、壁側カラー３１ｂとカバー３０との間に隙間の形成が抑えられ、壁側カラー３１ｂのがたつきを防止することができ、振動音などを抑制することができる。
【００３９】
(6)  前記補強リブ５０は壁側カラー３１ｂの裏面に壁１１側ほど幅狭になるように傾斜状に形成され、壁側カラー３１ｂの左右方向に所定間隔をおいて複数設けられている。従って、壁側カラー３１ｂの強度を十分に向上させることができ、カバー３０の片持ち支持された部分を十分に補強することができる。よって、カバー３０上に荷重が加わったり、カバー３０に応力が作用したりしたときにもそれらの荷重や応力に十分に耐えることができる。
【００４０】
(7)  湯水混合水栓１０を浴室の壁１１に取付ける場合には、給湯側ソケット１４の一次側螺合部５３及び給水側ソケット１５の一次側螺合部５３を壁１１に設けられた給湯配管１２及び給水配管１３にそれぞれ螺合して締付ける。続いて、カバー３０から壁側カラー３１ｂを外した状態で水栓本体１６の給湯側ねじ部１７及び給水側ねじ部１８を給湯側ソケット１４の二次側螺合部６０及び給水側ソケット１５の二次側螺合部６０に袋ナット１９を用いて締付けることにより行われる。
【００４１】
従って、水栓本体１６の組付け作業は、壁側カラー３１ｂを外した状態でそこからモンキーレンチ６３等の工具を差し込んで締付けることにより、容易かつ迅速に行うことができる。
【００４２】
なお、前記各実施形態を次のように変更して実施することも可能である。
・  壁側カラー３１ｂを短く形成し、壁側カラー３１ｂが組付けられていないカバー３０の裏面に補強リブ５０を設けることもできる。或いは、補強リブ５０を壁側カラー３１ｂ及びカバー３０の双方に設けることもできる。
【００４３】
・  カバー３０の折り返し部４９は、その両端部４９ａが中間部よりも長くなるように形成されているが、折り返し部４９全体が同じ長さとなるように形成することも可能である。
【００４４】
・  補強リブ５０は、壁１１側ほど幅狭になるように傾斜状に形成されているが、傾斜部を断面円弧状に形成したり、補強リブ５０全体を矩形板状に形成したりすることも可能である。さらに、補強リブ５０を基板４０の前後方向全体に延びるように形成したり、補強リブ５０の数を増加させたりすることも可能である。
【００４５】
・  前記実施形態の構成に加えて、スライド係合部材としてのスライド用レール４３を壁側カラー３１ｂの基板４０後端部に設けると同時に、スライド枠４４をカバー３０の折り返し部４９の内側に設けるように構成することもできる。
【符号の説明】
【００４６】
１０…湯水混合水栓、１１…壁、１２…給湯配管、１３…給水配管、１４…給湯側ソケット、１５…給水側ソケット、１６…水栓本体、１７…給湯側ねじ部、１８…給水側ねじ部、１９…袋ナット、３０…カバー、３１…カラー、３１ａ…本体側カラー、３１ｂ…壁側カラー、４３…スライド係合部材としてのスライド用レール、４４…スライド係合部材としてのスライド枠、４７…係合爪、４８…係止片、４９…折り返し部、４９ａ…端部、４９ｂ…内側面、４９ｃ…内端面、５０…補強リブ、５３…一次側螺合部、６０…二次側螺合部。
【図１】
0005517708.tif 000002
【図２】
0005517708.tif 000003
【図３】
0005517708.tif 000004
【図４】
0005517708.tif 000005
【図５】
0005517708.tif 000006
【図６】
0005517708.tif 000007
【図７】
0005517708.tif 000008
【図８】
0005517708.tif 000009
【図９】
0005517708.tif 000010
【図１０】
0005517708.tif 000011
【図１１】
0005517708.tif 000012